(57)【要約】【課題】パスポートや査証用ステッカー、あるいはカード類等の個人認証媒体上に高セキュリティ性を必要とされる画像形成体で、本人識別を目視にて容易に確認することが出来、かつ偽造、改竄の予防性を備えた画像形成体および個人認証媒体を提供する。【解決手段】ホログラム転写箔を被転写基材へ熱転写して得られる秘匿情報記録層と個別情報記録層とを有する画像表示体の作製装置であって、前記画像表示体の作製装置が少なくとも、（１）秘匿情報転写ロール上に形成された秘匿情報所有部の秘匿柄を、ホログラム転写箔を介して前記被転写基材に記録する秘匿情報記録部と、（２）個別情報に応じて、ホログラム転写箔を前記被転写基材に記録する個別情報記録部とを含むことを特徴とする。【選択図】図１
2014069535.tif 000002
【特許請求の範囲】
【請求項１】
ホログラム転写箔を被転写基材へ熱転写して得られる秘匿情報記録層と個別情報記録層とを有する画像表示体の作製装置であって、
前記画像表示体の作製装置が少なくとも、
（１）秘匿情報転写ロール上に形成された秘匿情報所有部の秘匿柄を、ホログラム転写箔を介して前記被転写基材に記録する秘匿情報記録部と、
（２）個別情報に応じて、ホログラム転写箔を前記被転写基材に記録する個別情報記録部と、
を含むことを特徴とする画像表示体の作製装置。
【請求項２】
前記秘匿情報転写ロール上の前記秘匿情報所有部は、幾何学パターン状に配置された凹凸によって形成されている事を特徴とする請求項１に記載の画像表示体の作製装置。
【請求項３】
前記秘匿情報転写ロール上の前記秘匿情報所有部は、周期的に配置された２値の文字・図形パターンを凹凸によって設けられている事を特徴とする請求項１に記載の画像表示体の作製装置。
【請求項４】
前記秘匿情報記録部と、前記個別情報記録部は、互いに空間周波数及び又は格子角度が異なることを特徴とする請求項１に記載の画像表示体の作製装置。
【請求項５】
請求項１乃至４のいずれか１項に記載の画像表示体の作製装置で作製されることを特徴とする画像表示体。
【請求項６】
請求項５に記載の画像表示体を用いたことを特徴とする個人認証媒体。
【発明の詳細な説明】
【技術分野】
【０００１】
本発明は、パスポートや査証などの冊子または、カード等の個人認証媒体上に個人特定の要となる顔画像や指紋を印刷・印字・描画する画像表示体に関わるものであり、特に、正等な所有者の顔などの個人識別情報を回折構造を設けた構造体とオンデマンド印刷技術を組み合わせ、更に個人識別情報とは異なる射出角度をもつ秘匿情報を併せ持つことにより、個人認証を実施する審査官が識別しやすくなり、かつ偽造および改竄が困難となること、もしくは審査官が摘発しやすくする技術に関するものである。
【背景技術】
【０００２】
パスポート及びＩＤ(identification)カードなどの個人認証媒体の多くは、目視による個人認証を可能とするために、顔画像を使用している。例えば、パスポートでは、従来、顔画像を焼き付けた印画紙を冊子体に貼り付けていた。しかしながら、そのようなパスポートには、写真印画の貼り替えによる改竄のおそれがある。
【０００３】
このような理由で、近年では、顔画像の情報をデジタル化し、これを冊子体上に再現することが行なわれている。この画像再現方法には、例えば、昇華性（熱移行性）染料や、顔料を分散させた樹脂型溶融タイプやワックス溶融タイプを用いた転写リボンによる感熱転写記録法、あるいは電子写真法などが検討されている。
【０００４】
しかしながら、昨今、昇華性染料又は着色した熱可塑性樹脂を使用した感熱転写記録方式のプリンタが広く普及してきている。この状況を考慮すると、パスポートから顔画像を取り除き、その部分に別の顔画像を記録することは必ずしも困難ではない。
【０００５】
ところで、以上のような画像表示技術を用いて、顔画像を記録し、その上に蛍光インキを用いて顔画像を記録する構成の蛍光体印刷物が提案されている（例えば特許文献１参照）。また、無色又は淡色の蛍光染料と有色の顔料とを含有したインキを用いて顔画像を記録した偽造防止画像形成体（例えば特許文献２参照）、さらに、通常の顔画像とパール顔料を用いて形成した顔画像とを並べて配置した個人認証媒体が提案されている（例えば特許文献３参照）。
【０００６】
従って、以上のような画像表示技術をパスポートに適用すれば、その改竄がより困難になる。しかしながら、蛍光材料を用いて記録した顔画像は、紫外線ランプなどの特殊な光源を使用しない限り観察することはできない。また、パール顔料を用いて形成した顔画像は、肉眼で視認できるものの、パール顔料の粒径が大きいため、このパール顔料を用いて高精細な画像を形成することは困難である。
【０００７】
また、個人認証媒体に記録される顔画像の見え方が、単純で視覚効果が無いような見え方である場合、顔画像が複雑で特徴のある視覚効果を有する場合と比較して、その改竄が容易である。また、顔画像が単純な見え方で表示されている場合、改竄、偽造された顔画像を目視で容易に判断することは困難である。
【先行技術文献】
【特許文献】
【０００８】
【特許文献１】特開２０００−１４１８６３号公報
【特許文献２】特開２００２−２２６７４０号公報
【特許文献３】特開２００３−１７０６８５号公報
【発明の概要】
【発明が解決しようとする課題】
【０００９】
本発明は、以上のような課題を解決するためになされたものであって、改竄が困難で、且つより複雑で特徴のある視覚効果を発揮でき、目視により真贋の判断が容易に認識できる為の画像表示体の作製装置、画像表示体及び個人認証媒体を提供することを目的とする。
【課題を解決するための手段】
【００１０】
上記課題を達成すべくなされた請求項１に記載の発明は、ホログラム転写箔を被転写基材へ熱転写して得られる画像表示体の作製装置であって、
前記画像表示体の作製装置が少なくとも、
（１）秘匿情報転写ロール上に形成された秘匿情報所有部の秘匿柄を、ホログラム転写箔を介して前記被転写基材に記録する秘匿情報記録部と、
（２）個別情報に応じて、ホログラム転写箔を前記被転写基材に記録する個別情報記録部と、
を含むことを特徴とする画像表示体の作製装置である。
【００１１】
請求項２に記載の発明は、前記秘匿情報転写ロール上の前記秘匿情報所有部は、幾何学パターン状に配置された凹凸によって形成されている事を特徴とする請求項１に記載の画像表示体の作製装置である。
【００１２】
請求項３に記載の発明は、前記秘匿情報転写ロール上の前記秘匿情報所有部は、周期的に配置された２値の文字・図形パターンを凹凸によって設けられている事を特徴とする請求項１に記載の画像表示体の作製装置である。
【００１３】
請求項４に記載の発明は、前記秘匿情報記録部と、前記個別情報記録部は、互いに空間周波数及び又は格子角度が異なることを特徴とする請求項１に記載の画像表示体の作製装置である。
【００１４】
請求項５に記載の発明は、請求項１乃至４のいずれか１項に記載の画像表示体の作製装置で作製されることを特徴とする画像表示体である。
請求項６に記載の発明は、請求項５に記載の画像表示体を用いたことを特徴とする個人認証媒体である。
【発明の効果】
【００１５】
本発明によると、改竄、あるいはなりすまして使用する事が困難で、且つ優れた画質で特徴のある視覚効果の画像を表現でき、真偽の判断を容易に行ない得るための画像表示体の作製装置、画像表示体及び個人認証媒体を提供できる。
【００１６】
請求項１に記載した発明によれば、特定の範囲から画像表示体を観察することによって、秘匿情報と個別情報の画像を確認することができ、それ以外の範囲からは秘匿情報と個別情報の画像を確認することができない。従って、この作製装置によって得られる画像表示体は、真偽の判断を容易に行なうことが可能となる。
【００１７】
請求項２、３に記載した発明によれば、特定の照明条件のもとで秘匿情報記録層と個別情報記録層とが回折光を射出するが、秘匿情報記録層では秘匿情報の画像を確認でき、個別情報記録層では秘匿情報の画像を確認することができない。
【００１８】
請求項４に記載した発明によれば、秘匿情報記録層が回折光を射出する時の特定の照明条件のもとでは、秘匿情報の画像を観察することができ、個別情報記録層が回折光を射出する時の特定の照明条件のもとでは、個人を認証するための情報を観察することができる。ここで、秘匿情報記録層と個別情報記録層とでホログラム層の空間周波数及び／または格子角度を違えることで、秘匿情報の画像を確認する観察角度と、個人を認証する為の情報の観察角度とを異ならしめることができ、結果、個人を認証するための情報を観察する際、秘匿情報の画像が一緒に観察されてしまうことを防ぐことが可能となる。
【００１９】
請求項５、６に記載した発明によれば、画像表示体を所有している人が、画像表示体の真の所有者か否かの識別を行なう審査官に対し、個別情報記録層により表示された画像と所有者本人とを目視によって見比べることで、本人確認を容易に行なうことが可能となり、被疑不正品が容易に発見可能となる発見容易性能を発揮することが可能となる。また、秘匿情報記録層により表示された秘匿柄を目視によって確認することにより、真偽の判断をより確実とすることが可能となる。
【図面の簡単な説明】
【００２０】
【図１】本発明に係る画像表示体の作製装置の一例を示した概略図である。
【図２】本発明に係る画像表示体の作製装置の他の一例を概略的に示した概略図である。
【図３】本発明に係る画像表示体の作製装置に設置するホログラム転写箔の一例を概略的に示した断面図である。
【図４】本発明に係る画像表示体の一例を概略的に示した断面図である。
【図５】本発明に係る画像表示体の他の一例を概略的に示した断面図である。
【図６】図４に示す画像表示体の観察状態の一例を概略的に示した断面図である。
【図７】図６に示す画像表示体の表示画像の一例を概略的に示した平面図である。
【図８】図４に示す画像表示体の観察状態の他の一例を概略的に示した断面図である。
【図９】図８に示す画像表示体の表示画像の一例を概略的に示した平面図である。
【図１０】図５に示す画像表示体の観察状態を概略的に示した断面図である。
【図１１】図１０に示す画像表示体の表示画像の一例を概略的に示した平面図である。
【図１２】本発明の一実施の形態に係る画像表示体を転写して作製した個人認証媒体の一例を概略的に示した平面図である。
【発明を実施するための形態】
【００２１】
以下、本発明の実施の形態について、図面を参照して詳細に説明する。
図１は、本発明における画像表示体の作製装置１の一例を示した概略図である。図１において、２はホログラム転写箔、３は被転写基材、１１は画像入力手段、１２は例えばＰＣ（パーソナルコンピュータ）等の制御手段、１３は秘匿情報転写ロール、１４は転写印字制御手段、１５は熱転写記録印字部となるサーマルヘッドであり、上記ホログラム転写箔２は、サーマルヘッド１５及び秘匿情報転写ロール１３にて被転写基材３に熱圧印字される機構となっている。上記転写印字制御手段１４は、制御手段１２からの指示に従ってサーマルヘッド１５を制御する。
【００２２】
また、上記秘匿情報転写ロール１３上には秘匿情報所有部１３１と秘匿情報非所有部１３２とが設けられている。秘匿情報所有部１３１の秘匿柄は、幾何学パターン状に配置された凹凸または／あるいは周期的に配置された二値の文字・図形パターンの凹凸によって形成されている。この凹凸の高さの差は典型的には０．２μｍ以下であり、熱圧印字時に凹部と凸部とで熱の伝わり方に差が生じ、凸部のみ印字されるように設計されている。そのため、秘匿情報所有部１３１おいては凸部で形成されている秘匿柄が図４〜図６に示すように秘匿情報記録層２２として被転写基材３に印字され、秘匿情報非所有部１３２おいては凹凸が存在しないため、秘匿柄を含まない個別情報記録層２１が被転写基材３に印字されることが可能となる。すなわち、部分的に秘匿情報が入った情報記録層を被転写基材３に印字することが可能である。
【００２３】
また、秘匿情報転写ロール１３の秘匿情報所有部１３１を、後述するホログラム転写箔２の１種のレリーフ構造形成部と同じ面積だけ設け、連動させて印字することも可能である。具体的には、例えば、図３のレリーフ構造形成部Ｈ１と同じ面積だけ秘匿情報所有部１３１を設け、所定の面積の記録印字を行なって秘匿情報記録層２２を被転写基材３に形成した後、今度は秘匿情報非所有部１３２を用いてレリーフ構造形成部Ｈ２を介して記録印字を行ない、秘匿情報記録層２２の上に個別情報記録層２１を重ねて形成することが可能である。
【００２４】
図２は、本発明における画像表示体の作製装置の他の一例を示した概略図であり、ここでは、ロール全体に秘匿柄のある秘匿情報転写ロール１３ａと秘匿柄のない転写ロール１３ｂの二つの熱圧印字機構を備えている。
【００２５】
上記秘匿情報記録層２２及び個別情報記録層２１（図４〜図６参照）は、それぞれ、秘匿情報記録部１３Ａ及び個別情報記録部１３Ｂにおいて部分的あるいは印字指定領域の全面に熱圧印字される。なお、図２においては秘匿情報記録部１３Ａで秘匿情報記録層２２を形成し、その後、個別情報記録部１３Ｂで個別情報記録層２１を形成する機構となっているが、秘匿情報記録部１３Ａと個別情報記録部１３Ｂの順序が逆になっても構わない。すなわち、個別情報記録部１３Ｂで個別情報記録層２１を形成した後に、秘匿情報記録部１３Ａで秘匿情報記録層２２を形成しても構わない。
【００２６】
図３は、図１、図２における画像表示体の作製装置１で用いるホログラム転写箔２の一例を概略的に示した断面図である。ホログラム転写箔２は、基材の一方の面に剥離層、回折構造形成層、接着層が順に積層されて形成されている。
【００２７】
ホログラム転写箔２の基材は、例えば樹脂フィルム又はシートであり、例えば、ポリエチレンテレフタラート（ＰＥＴ）、ポリプロピレン（ＰＰ）、ポリカーボネート（ＰＣ）、ポリメチルメタクリレート（ＰＭＭＡ）、ポリエチレン（ＰＥ）等のプラスチック材料から成る。
【００２８】
ホログラム転写箔２の剥離層は、ホログラム転写箔２の基材からの剥離を安定化すると共に、被転写基材３への接着を促進する役割を果たす。剥離層は、光透過性を有しており、典型的には透明である。剥離層の材料としては、例えば、ポリカーボネート樹脂、アクリル系樹脂、フッ素系アクリル樹脂、シリコーン系アクリル系樹脂、エポキシアクリレート樹脂、ポリスチレン樹脂、シクロオレフィンポリマー、メチルスチレン樹脂、フルオレン樹脂、ＰＥＴ、ポリプロピレン、ポリエチレンテレフタラート樹脂、ポリアセタール樹脂等の熱可塑性樹脂にシリコーンやフッ素系の添加剤を加えたもの、あるいはフッ素系アクリル樹脂、シリコーン系アクリル系樹脂などが挙げられる。
【００２９】
ホログラム転写箔２の剥離層上に形成されている回折構造形成層の材料としては、例えばポリカーボネート樹脂、アクリル系樹脂、フッ素系アクリル樹脂、シリコーン系アクリル系樹脂、エポキシアクリレート樹脂、ポリスチレン樹脂、シクロオレフィンポリマー、メチルスチレン樹脂、フルオレン樹脂、ＰＥＴ、ポリプロピレン等の光硬化性樹脂、またはアクリルニトリルスチレン共重合体樹脂、フェノール樹脂、メラミン樹脂、尿素樹脂、アルキド樹脂等の熱硬化性樹脂、またはポリプロピレン樹脂、ポリエチレンテレフタラート樹脂、ポリアセタール樹脂等の熱可塑性樹脂を挙げることができ、上記の樹脂を所望の構造に賦型して硬化させることで剥離層の表面上に回折構造形成層を形成することができる。
【００３０】
なお、ホログラム転写箔２の回折構造形成層を形成する樹脂の硬化物は全て光透過性であり、屈折率は一般的には１．５程度である。また、剥離層、回折構造形成層および接着層を合わせた総厚は、耐熱性、箔切れ性、熱転写性を向上させるために薄い方がよく、１．５μｍ以下であることが好ましい。
【００３１】
上記回折構造形成層は、ホログラム及び／または回折格子のレリーフ構造形成部Ｈ１、Ｈ２を含んでいる。このレリーフ構造形成部Ｈ１、Ｈ２のパラメータとしては、
（１）レリーフ構造の空間周波数(格子線のピッチ：単位長さ当たりの格子線の本数)
（２）レリーフ構造の方向(格子線の方向)
があり、上記（１）に応じて、その画像セルが光って見える色が変化し、上記（２）に応じて、その画像セルが光って見える方向が変化する。
【００３２】
レリーフ構造形成部Ｈ１、Ｈ２は、上記（１）、（２）のパラメータが異なっていても異なっていなくてもよいが、好ましくは、（１）、（２）のパラメータのうち、少なくとも１つ以上が異なる。
【００３３】
レリーフ構造形成層は、反射層を含んでいてもよい。反射層を設けた場合には回折構造形成層が表示する画像の視認性が向上する。反射層としては、例えば、透明反射層を使用することができる。透明反射層は、例えば、真空蒸着やスパッタリングなどの真空成膜法によって形成することができる。
【００３４】
透明反射層としては、例えば、回折構造形成層とは屈折率が異なる透明材料からなる層を使用することができる。透明材料からなる透明反射層は、単層構造又は多層構造の何れでもよい。後者の場合、透明反射層は、繰り返し反射干渉を生じるように設計されていてもよい。この透明材料としては、例えば、硫化亜鉛及び二酸化チタンなどの透明誘電体を使用することができる。
【００３５】
また、透明反射層としては、厚さが２０ｎｍ未満の金属層を使用してもよい。金属層の材料としては、例えば、クロム、ニッケル、アルミニウム、鉄、チタン、銀、金及び銅などの単体金属又はそれらの合金を使用できる。
透明反射層の膜厚は、典型的には５０ｎｍ〜１００ｎｍ程度であることが好ましい。
【００３６】
回折構造形成層上に形成される接着層の材料としては、例えば、ポリプロピレン樹脂、ポリエチレンテレフタラート樹脂、ポリアセタール樹脂、ポリエステル樹脂などの熱可塑性樹脂を挙げることができ、これらの樹脂にシリカ等の無機微粒子を添加させてもよい。
【００３７】
次に図４、図５を用いて、秘匿情報及び個別情報を含む画像表示体４の形成方法について説明する。
図４、図５に示す画像表示体４は、ホログラム転写箔２を被転写基材３の表面上にホログラム転写箔２の基材が上側となるように置き、ホログラム転写箔２の上面に熱圧を加えることで得られる。具体的には、熱圧が加えられたホログラム転写箔２のみが被転写基材３の表面上に転写されるため、被転写基材３の表面上の所要位置にホログラム転写箔２が転写された画像表示体４を得ることができる。
【００３８】
ホログラム転写箔２を転写する被転写基材３は、基材と受像層とを含んでいる。上記基材としては、例えばホログラム転写箔２の基材について例示したものを使用することができる。また、受像層としては、ホログラム転写箔２の接着層との密着性が良好となる材料から成る。
【００３９】
画像表示体４の秘匿情報記録層２２の形成においては、例えば、サーマルヘッド１５及び図１、図２の秘匿情報転写ロール１３、１３ａを用いて、レリーフ構造形成部Ｈ１を被転写基材３に熱圧印字する。このとき、秘匿情報転写ロール１３、１３ａには秘匿柄の凹凸がついており、凹部と凸部とで熱の伝わり方が異なる。そのため、秘匿情報所有部１３１の凸部で形成されている秘匿柄にそった形でホログラム転写箔２が被転写基材３の上に転写され、これによって秘匿情報の入った秘匿情報記録層２２が形成される。
【００４０】
秘匿情報記録層２２の熱転写面積は、転写指定領域の少なくとも１０％以上とする。また、転写形状は、秘匿情報が確認できるよう、連続的な形状であることが望ましい。
【００４１】
次に、画像表示体４の個人を認証するための個別情報記録層２１の形成について説明する。個人を認証するための情報は、例えば、撮像装置を用いて、人物の顔を撮影、或いは、印画から顔画像などを読み取ることにより、画像情報を電子情報として得る。そして、先の顔画像に対応させ、図１に示すサーマルヘッド１５と秘匿情報転写ロール１３の秘匿情報非所有部１３２あるいは図２に示す転写ロール１３ｂを用いて、被転写基材３上に個別情報記録層２１を形成する。このとき、転写ロールには凹凸が存在しないため、この熱転写は、サーマルヘッド１５を利用して、ホログラム転写箔２から被転写基材３へと熱転写される部分が、先の顔画像に対応したパターンを有するように行なうことができる。
【００４２】
このようにして得られる顔画像に対応したパターンは、サーマルヘッド１５を用いた熱転写によって形成するので、典型的には複数のドット形状あるいは線形状から成る。
【００４３】
ドット状部の径または、線状部の線幅は、例えば、０．０８５乃至０．５０８ｍｍ（約３００乃至約５０ ｄｏｔｓ ｐｅｒ ｉｎｃｈ）の範囲内とし、典型的には０．０８５乃至０．１６９ｍｍ（約３００乃至約１５０ ｄｏｔｓ ｐｅｒ ｉｎｃｈ）の範囲内とする。この寸法を大きくすると、顔画像を表示する場合、高精細な画像を表示させることが難しくなる。また、この寸法を小さくすると、ドット状部の径または線状部の線幅の再現性が低下する。
【００４４】
なお、ここで形成する個別情報記録層２１は単色とは限らない。例えば、定点での色の見え方がＲ，Ｇ，Ｂの３色になるよう、異なる空間周波数のレリーフ構造形成部をホログラム転写箔２に設け、順次重ねる／または並べて転写することで、フルカラーの個別情報画像を得ることができる。そして、これにより、本人識別が容易となる。
【００４５】
また、ここで形成する個別情報記録層２１の情報は、二値とは限らない。元画像を２段階以上の階調に分け、先の顔画像に対応させて階調印字を行なうことで、本人識別をより容易で確実にすることが可能となり、かつ偽造、改竄の予防性を備えた画像表示体となる。
【００４６】
画像表示体４において、秘匿情報記録層２２と個別情報記録層２１は、図４に示すように同一面上にあってもよく、図５に示すように重なっていてもよい。
秘匿情報記録層２２と個別情報記録層２１が図４に示すように同一面上にある場合、秘匿情報記録層２２と個別情報記録層２１とがホログラム転写箔２の同一レリーフ構造形成部Ｈ１で印字されたものであってもよく、異なるレリーフ構造形成部（ここではＨ１及びＨ２）で印字されたものであってもよい。
【００４７】
秘匿情報記録層２２と個別情報記録層２１が図５に示すように重なっている場合、秘匿情報記録層２２と個別情報記録層２１とは異なるレリーフ構造形成部で印字さる必要があるが、秘匿情報記録層２２を形成した後に個別情報記録層２１を形成しても、個別情報記録層２１の形成が先で、後から秘匿情報記録層２２を形成してもよい。
【００４８】
図６は、秘匿情報記録層２２と個別情報記録層２１とが、共にレリーフ構造形成部Ｈ１で同一面上に印字された画像表示体４の観察状態を示した図である。上記のように作製された画像表示体４について、図６に示す観察範囲４０ａから観察すると、図７に示す個人を認証するための個別情報４１と、秘匿情報４２とを観察できる。
【００４９】
図８は、秘匿情報記録層２２と個別情報記録層２１とがそれぞれ、レリーフ構造形成部Ｈ１及びＨ２で同一面上に印字された画像表示体４の観察状態を示した図である。レリーフ構造形成部Ｈ１とＨ２とは、空間周波数を違えるか、格子角度を違えるか、あるいは空間周波数および格子角度の両方を違えている。
【００５０】
上記のように作製された画像表示体４について、図８に示す観察範囲４０ａから観察すると、図９（ａ）に示す個人を認証するための個別情報４１を観察できる。また、観察範囲４０ｂから観察すると、個別情報４１の回折光は観察できなくなり、代わりに図９（ｂ）に示す秘匿情報４２を観察できる。
【００５１】
図１０は、秘匿情報記録層２２と個別情報記録層２１とがそれぞれ、レリーフ構造形成部Ｈ１及びＨ２を使用して重ねて印字された画像表示体４の観察状態を示した図である。レリーフ構造形成部Ｈ１とＨ２とは、空間周波数を違えるか、格子角度を違えるか、あるいは空間周波数および格子角度の両方を違えている。
【００５２】
上記のように作製された画像表示体４について、図１０に示す観察範囲４０ａから観察すると、図１１（ａ）に示す個人を認証するための個別情報４１を観察できる。また、観察範囲４０ｂから観察すると、個別情報４１の回折光は観察できなくなり、代わりに図１１（ｂ）に示す秘匿情報４２を観察できる。
【００５３】
図１２は、上記のように作製された画像表示体４を転写して作製した個人認証媒体５の一例を概略的に示した平面図である。
図１２に示す個人認証媒体５は、図１０に示す画像表示体４を熱転写して得られる。この熱転写には、例えばホットスタンプを利用する。なお、ホットスタンプを利用した熱転写の代わりに、熱ロール又はサーマルヘッドを利用した熱転写を行なってもよい。以上のようにして個人認証媒体５を得る。
【００５４】
画像表示体４を個人認証媒体５に熱転写する場合、個人認証媒体５の基材には、接着強さを高めるために接着アンカー層を形成しておいてもよい。
個人認証媒体５の基材に高い接着強さで接着させることが難しい場合、接着層を介して熱転写してもよい。例えば、接着リボンを使用してもよい。
【００５５】
画像表示体４を貼り付ける基材の材質は、紙以外であってもよい。例えば、画像表示体４を貼り付ける基材は、プラスチック基材、金属基板、セラミックス基板、またはガラス基板であってもよい。
【実施例】
【００５６】
＜例１；画像表示体Ｄ１の作製＞
以下のようにして図３に示すホログラム転写箔２を製造した。
まず、基材として、厚み１２μｍのポリエチレンテレフタレートフィルムを準備した。この基材上に、剥離層と回折構造形成層とをこの順に形成し、これらをオーブンで乾燥させた。剥離層の材料としてはアクリル樹脂を使用し、回折構造形成層の材料としてはアクリルポリオールを使用した。剥離層及び回折構造形成層の乾燥後の膜厚は、それぞれ、０．６μｍ及び０．７μｍであった。
【００５７】
次に、ロールエンボス装置を用いた熱プレスにより、回折構造形成層の表面に、ホログラムとしての回折構造を２種形成した。このとき、形成した回折構造の深さは共に約１００ｎｍであり、格子角度は０度で同一とし、空間周波数をそれぞれ１０００本／ｍｍと２０００本／ｍｍとした。
【００５８】
次いで、回折構造形成層の回折構造上に、蒸着法により硫化亜鉛からなる透明反射層を形成した。透明反射層膜厚は５０ｎｍとした。
以上のようにして、ホログラム転写箔２を完成した。
【００５９】
次に、被転写基材３を、以下の方法により製造した。
基材として厚さが２５μｍのポリエチレンテレフタレートフィルムを準備した。この基材上に、グラビアコータを用いて、剥離層と受像層とをこの順に形成し、これらをオーブンで乾燥させた。剥離層の材料としてはアクリル樹脂を使用し、受像層の材料としてはアクリルポリオールを使用した。剥離層及び受像層の乾燥後の膜厚は、それぞれ、１．２μｍ及び１．０μｍであった。
【００６０】
次に、図６に示す画像表示体４を、以下の方法により製造した。
まず、２００線／ｍｍの彩文柄が全面に施されている転写ロールと３００ｄｐｉのサーマルヘッドを用いて、空間周波数１０００本／ｍｍで格子角度０度のレリーフ構造形成部Ｈ１を、所定の転写範囲全面を埋めるように印字を行なった。これによって、転写ロールに施されている彩文柄を有する秘匿情報記録層２２が被転写基材３に転写された。
【００６１】
次に、柄の施されていない転写ロールと３００ｄｐｉのサーマルヘッドを用いて空間周波数２０００本／ｍｍで格子角度９０度のレリーフ構造形成部Ｈ２を、個人を認証するための情報である顔画像を表示するように印字を行なった。これによって、秘匿情報記録層２２の上面に個別情報記録層２１が転写された。
以上のようにして作製した画像表示体を「画像表示体Ｄ１」と呼ぶ。
【００６２】
＜例２；画像表示体Ｄ２の作製＞
空間周波数を１０００本で同一とし、格子角度をそれぞれ０度と９０度とした以外は例１で作製したのと同じホログラム転写箔２と被転写基材３を用い、画像表示体４を以下の方法により製造した。
【００６３】
まず、２００線／ｍｍの彩文柄が全面に施されている転写ロールと３００ｄｐｉのサーマルヘッドを用いて、空間周波数１０００本／ｍｍで格子角度９０度のレリーフ構造形成部Ｈ１を、所定の転写範囲全面を埋めるように印字を行なった。これによって、転写ロールに施されている彩文柄を有する秘匿情報記録層２２が被転写基材３に転写された。
【００６４】
次に、柄の施されていない転写ロールと３００ｄｐｉのサーマルヘッドを用いて空間周波数１０００本／ｍｍで格子角度０度のレリーフ構造形成部Ｈ２を、個人を認証するための情報である顔画像を表示するように印字を行なった。これによって、秘匿情報記録層２２の上面に個別情報記録層２１が転写された。
以上のようにして作製した画像表示体を「画像表示体Ｄ２」と呼ぶ。
【００６５】
以上のようにして製造した画像表示体Ｄ１を観察したところ、個別情報が確認できる角度では秘匿情報が観察されず、画像表示体Ｄ１を傾斜させていき、秘匿情報が確認できるようになった角度では、個別情報が観察されなかった。
【００６６】
また、画像表示体Ｄ２を観察したところ、個別情報が確認できる角度では秘匿情報が観察されなかったが、画像表示体Ｄ２を９０度回転させた時には、秘匿情報が確認され、個別情報は観察されなかった。
【産業上の利用可能性】
【００６７】
本発明は、パスポートや査証などの冊子または、カード等の個人認証媒体上に個人特定の要となる顔画像や指紋を印刷・印字・描画する画像表示体に関わるものであり、特に、正等な所有者の顔などの個人識別情報を、回折構造を設けた構造体とオンデマンド印刷技術を組み合わせ、更に個人識別情報とは異なる射出角度をもつ秘匿情報を併せ持つことにより、偽造や改竄を困難にし、さらに個人識別を行なう審査官に対してより不正行為があるものを判別し易くし、より精度良く認証ができる。
【符号の説明】
【００６８】
１…画像表示体の作製装置、２…ホログラム転写箔、３…被転写基材、４…画像表示体、５…個人認証媒体、１１…画像入力手段、１２…制御手段、１３、１３ａ…秘匿情報転写ロール、１３ｂ…転写ロール、１３Ａ…秘匿情報記録部、１３Ｂ…個別情報記録部、１４…転写印字制御手段、１５…サーマルヘッド、１３１…秘匿情報所有部、１３２…秘匿情報非所有部、２１…個別情報記録層、２２…秘匿情報記録層、４０ａ、４０ｂ…観察範囲、４１…個別情報、４２…秘匿情報、Ｈ１、Ｈ２…レリーフ構造形成部。
【図１】
2014069535.tif 000003
【図２】
2014069535.tif 000004
【図３】
2014069535.tif 000005
【図４】
2014069535.tif 000006
【図５】
2014069535.tif 000007
【図６】
2014069535.tif 000008
【図７】
2014069535.tif 000009
【図８】
2014069535.tif 000010
【図９】
2014069535.tif 000011
【図１０】
2014069535.tif 000012
【図１１】
2014069535.tif 000013
【図１２】
2014069535.tif 000014